(57)【要約】【課題】鑑照合結果の照合率を向上することが可能な印鑑照合装置を提供する。【解決手段】本発明の印鑑照合装置は、スキャンされた帳票に含まれる印鑑イメージと帳票の捺印欄の位置情報を含む基準帳票情報とに基づいて、基準帳票情報の捺印欄の位置情報に対する印鑑イメージの変形量を算出する変形量比較処理部と、予め登録された登録印鑑イメージを変形量に基づいて変形した変形登録印鑑イメージを生成する変形処理部と、変形登録印鑑イメージと印鑑イメージとを照合する印鑑照合処理部と、を備える。【選択図】図２
2012247994.tif 000002
【特許請求の範囲】
【請求項１】
スキャンされた帳票に含まれる印鑑イメージと前記帳票の捺印欄の位置情報を含む基準帳票情報とに基づいて、前記基準帳票情報の捺印欄の位置情報に対する前記印鑑イメージの変形量を算出する変形量比較処理部と、
予め登録された登録印鑑イメージを前記変形量に基づいて変形した変形登録印鑑イメージを生成する変形処理部と、
前記変形登録印鑑イメージと前記印鑑イメージとを照合する印鑑照合処理部と、
を備えることを特徴とする、印鑑照合装置。
【請求項２】
前記変形量比較処理部は、捺印欄の対角にある２点の相対座標についての、前記基準帳票情報に基づく値と前記印鑑イメージから取得された値との差異を前記変形量として算出することを特徴とする、請求項１に記載の印鑑照合装置。
【請求項３】
前記変形処理部は、前記変形量より前記印鑑イメージが変形していると判定した場合に、前記登録印鑑イメージを前記変形量に基づき変形した前記変形登録印鑑イメージを生成し、
前記印鑑照合処理部は、前記印鑑イメージが変形している場合には前記変形登録印鑑イメージと前記印鑑イメージとを照合し、前記印鑑イメージが変形していない場合には前記登録印鑑イメージと前記印鑑イメージとを照合することを特徴とする、請求項１または２に記載の印鑑照合装置。
【請求項４】
前記印鑑照合処理部は、前記変形登録印鑑イメージと前記印鑑イメージとを照合し、照合率を算出することを特徴とする、請求項１〜３のいずれか１項に記載の印鑑照合装置。
【請求項５】
照合した２つのイメージを重ね合わせた重ね合わせ画像を生成して表示部に表示させる表示処理部をさらに備え、
前記変形処理部は、前記印鑑イメージを前記変形量に基づいて、前記基準帳票情報の捺印欄の位置情報に対する変形量がなくなるように変形して変形印鑑イメージを生成し、
前記表示処理部は、前記変形印鑑イメージと、前記登録印鑑イメージとを重ね合わせて前記重ね合わせ画像を生成することを特徴とする、請求項１〜４のいずれか１項に記載の印鑑照合装置。
【請求項６】
前記変形処理部は、前記変形量より前記印鑑イメージが変形していると判定した場合に、前記印鑑イメージを前記変形量に基づき変形した前記変形印鑑イメージを生成し、
前記表示処理部は、前記印鑑イメージが変形している場合には前記登録印鑑イメージと前記変形印鑑イメージとを重ね合わせ、前記印鑑イメージが変形していない場合には前記登録印鑑イメージと前記印鑑イメージとを重ね合わせることを特徴とする、請求項５に記載の印鑑照合装置。
【請求項７】
前記表示処理部は、少なくとも前記重ね合わせ画像および前記照合率を前記表示部に表示させることを特徴とする、請求項５または６に記載の印鑑照合装置。
【請求項８】
前記表示処理部は、前記重ね合わせ画像を構成する登録印鑑イメージおよび印鑑イメージをさらに前記表示部に表示させることを特徴とする、請求項７に記載の印鑑照合装置。
【請求項９】
スキャンされた帳票に含まれる印鑑イメージと前記帳票の捺印欄の位置情報を含む基準帳票情報とに基づいて、前記基準帳票情報の捺印欄の位置情報に対する前記印鑑イメージの変形量を算出するステップと、
予め登録された登録印鑑イメージを前記変形量に基づいて変形した変形登録印鑑イメージを生成するステップと、
前記変形登録印鑑イメージと前記印鑑イメージとを照合するステップと、
を含むことを特徴とする、印鑑照合方法。
【請求項１０】
コンピュータを、
スキャンされた帳票に含まれる印鑑イメージと前記帳票の捺印欄の位置情報を含む基準帳票情報とに基づいて、前記基準帳票情報の捺印欄の位置情報に対する前記印鑑イメージの変形量を算出する変形量比較処理部と、
予め登録された登録印鑑イメージを前記変形量に基づいて変形した変形登録印鑑イメージを生成する変形処理部と、
前記変形登録印鑑イメージと前記印鑑イメージとを照合する印鑑照合処理部と、
を備えることを特徴とする印鑑照合装置として機能させるコンピュータプログラム。
【発明の詳細な説明】
【技術分野】
【０００１】
本発明は、帳票に捺印された印鑑の印鑑イメージを登録印鑑イメージと照合する印鑑照合装置、印鑑照合方法およびコンピュータプログラムに関する。
【背景技術】
【０００２】
従来、捺印した帳票をファクシミリ（「ＦＡＸ」とも称する。）等で送信先へ送信すると、帳票に捺印された印鑑の印鑑イメージが変形して、予め登録されている登録印鑑イメージとの照合が困難になる場合がある。このような状況に対して、例えば特許文献１には、帳票の複数の基準枠線や基準点を元に、ＦＡＸにより変形した印鑑イメージに補正処理を加え、変形する前のイメージの再現を行う技術が開示されている。特許文献１に記載の技術によれば、変形された帳票の印鑑イメージを補正して、正確な印鑑イメージを確実に取得することができる。
【先行技術文献】
【特許文献】
【０００３】
【特許文献１】特開２００７−２７４５９７号公報
【発明の概要】
【発明が解決しようとする課題】
【０００４】
しかし、ＦＡＸ等の画像解像度はあまり高くない。このため、特許文献１に記載の技術のようにＦＡＸ等の解像度の低い印鑑イメージに基づいて補正処理を行うと、さらに荒い印鑑イメージとなってしまい、照合結果の照合率が低下する可能性があるという問題があった。
【０００５】
そこで、本発明は、上記問題に鑑みてなされたものであり、本発明の目的とするところは、印鑑照合結果の照合率を向上することが可能な、新規かつ改良された印鑑照合装置、印鑑照合方法およびコンピュータプログラムを提供することにある。
【課題を解決するための手段】
【０００６】
上記課題を解決するために、本発明のある観点によれば、スキャンされた帳票に含まれる印鑑イメージと帳票の捺印欄の位置情報を含む基準帳票情報とに基づいて、基準帳票情報の捺印欄の位置情報に対する印鑑イメージの変形量を算出する変形量比較処理部と、予め登録された登録印鑑イメージを変形量に基づいて変形した変形登録印鑑イメージを生成する変形処理部と、変形登録印鑑イメージと印鑑イメージとを照合する印鑑照合処理部と、を備えることを特徴とする、印鑑照合装置が提供される。
【０００７】
本発明によれば、印鑑照合の際に、スキャンされた帳票に含まれる印鑑イメージではなく、解像度の高い登録印鑑イメージを変形量に基づき変形させて、２つの印鑑イメージを照合する。これにより、照合する印鑑イメージが粗くなる度合いを抑制することができ、印鑑照合結果の照合率を向上させることができる。
【０００８】
変形量比較処理部は、捺印欄の対角にある２点の相対座標についての、基準帳票情報に基づく値と印鑑イメージから取得された値との差異を変形量として算出してもよい。
【０００９】
また、変形処理部は、変形量より印鑑イメージが変形していると判定した場合に、登録印鑑イメージを変形量に基づき変形した変形登録印鑑イメージを生成してもよい。このとき、印鑑照合処理部は、印鑑イメージが変形している場合には変形登録印鑑イメージと印鑑イメージとを照合し、印鑑イメージが変形していない場合には登録印鑑イメージと印鑑イメージとを照合する。
【００１０】
さらに、印鑑照合処理部は、変形登録印鑑イメージと印鑑イメージとを照合し、照合率を算出してもよい。
【００１１】
本発明の印鑑照合装置は、照合した２つのイメージを重ね合わせた重ね合わせ画像を生成して表示部に表示させる表示処理部をさらに備えてもよい。変形処理部は、印鑑イメージを変形量に基づいて、基準帳票情報の捺印欄の位置情報に対する変形量がなくなるように変形して変形印鑑イメージを生成し、表示処理部は、変形印鑑イメージと、登録印鑑イメージとを重ね合わせて重ね合わせ画像を生成する。
【００１２】
変形処理部は、変形量より印鑑イメージが変形していると判定した場合に、印鑑イメージを変形量に基づき変形した変形印鑑イメージを生成してもよい。このとき、表示処理部は、印鑑イメージが変形している場合には登録印鑑イメージと変形印鑑イメージとを重ね合わせ、印鑑イメージが変形していない場合には登録印鑑イメージと印鑑イメージとを重ね合わせる。
【００１３】
表示処理部は、少なくとも重ね合わせ画像および照合率を表示部に表示させてもよい。
【００１４】
さらに、表示処理部は、重ね合わせ画像を構成する登録印鑑イメージおよび印鑑イメージを表示部に表示させてもよい。
【００１５】
また、上記課題を解決するために、本発明の別の観点によれば、スキャンされた帳票に含まれる印鑑イメージと帳票の捺印欄の位置情報を含む基準帳票情報とに基づいて、基準帳票情報の捺印欄の位置情報に対する印鑑イメージの変形量を算出するステップと、予め登録された登録印鑑イメージを変形量に基づいて変形した変形登録印鑑イメージを生成するステップと、変形登録印鑑イメージと印鑑イメージとを照合するステップと、を含むことを特徴とする、印鑑照合方法が提供される。
【００１６】
さらに、上記課題を解決するために、本発明の別の観点によれば、コンピュータを、スキャンされた帳票に含まれる印鑑イメージと帳票の捺印欄の位置情報を含む基準帳票情報とに基づいて、基準帳票情報の捺印欄の位置情報に対する印鑑イメージの変形量を算出する変形量比較処理部と、予め登録された登録印鑑イメージを変形量に基づいて変形した変形登録印鑑イメージを生成する変形処理部と、変形登録印鑑イメージと印鑑イメージとを照合する印鑑照合処理部と、を備えることを特徴とする印鑑照合装置として機能させるコンピュータプログラムが提供される。
【発明の効果】
【００１７】
以上説明したように本発明によれば、印鑑照合結果の照合率を向上することが可能な印鑑照合装置、印鑑照合方法およびコンピュータプログラムを提供することができる。
【図面の簡単な説明】
【００１８】
【図１】本発明の実施形態に係る印鑑照合システムの概略構成を示すブロック図である。
【図２】同実施形態に係る印鑑照合システムの印鑑照合サーバおよびオペレータ処理用端末の機能構成を示す機能ブロック図である。
【図３】同実施形態に係る印鑑照合システムによる処理の流れを示す説明図である。
【図４】同実施形態に係るオペレータ処理用端末による印鑑照合処理の流れを示すフローチャートである。
【図５】照合結果画面の一例を示す説明図である。
【図６】同実施形態に係るオペレータ処理用端末等のハードウェア一構成例を示すブロック図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
＜１．印鑑照合システムの概略構成＞
まず、図１を参照して、本発明の実施形態に係る印鑑照合システムの概略構成について説明する。なお、図１は、本実施形態に係る印鑑照合システム１の概略構成を示すブロック図である。
【００２１】
本実施形態に係る印鑑照合システム１は、予め登録された登録印鑑イメージと、ＦＡＸ等でスキャンされ送信された印鑑イメージ（受信印鑑イメージ）とを照合するためのシステムである。印鑑照合システム１は、図１に示すように、印鑑照合サーバ１００と、公衆回線網４００を介してＦＡＸ５００と接続されたＦＡＸサーバ２００と、印鑑照合サーバ１００およびＦＡＸサーバと接続され、印鑑照合処理を行う印鑑照合装置であるオペレータ処理用端末３００とからなる。
【００２２】
印鑑照合サーバ１００は、登録印鑑イメージ、ＦＡＸ等から受信した帳票の受信印鑑イメージ、そして、帳票に関する情報（基準帳票情報）を保持し、オペレータ処理用端末３００からの要求に応じてこれらの情報を提供するサーバである。登録印鑑イメージ、受信印鑑イメージ、および帳票基準情報は、印鑑照合サーバ１００のデータベース１１０に記録されている。
【００２３】
ＦＡＸサーバ２００は、公衆回線網４００を介して接続されたＦＡＸ５００からの帳票データを受信する。ＦＡＸサーバ２００は、受信した帳票データを印鑑照合サーバ１００へ送信する。帳票データには受信印鑑イメージが含まれている。
【００２４】
オペレータ処理用端末３００は、登録印鑑イメージと受信印鑑イメージとの照合処理を行う装置であって、１または複数（図１では３台）のオペレータ処理用端末３００が印鑑照合サーバ１００と接続されている。本実施形態に係るオペレータ処理用端末３００は、照合対象の登録印鑑イメージおよび受信印鑑イメージを印鑑照合サーバ１００から取得し、照合処理を行う。このとき、オペレータ処理用端末３００は、受信印鑑イメージの変形量を算出して、その変形量だけ登録印鑑イメージを変形させた後、受信印鑑イメージと変形後の登録印鑑イメージとを照合する。このように、ＦＡＸ５００で受信した解像度の低い受信印鑑イメージを補正する代わりに、解像度の高い登録印鑑イメージを変形することで、イメージの粗さを抑え、印鑑照合結果の照合率を向上させることができる。
【００２５】
このような印鑑照合システム１の構成とこれによる印鑑照合処理について、以下詳細に説明していく。
【００２６】
＜２．機能構成＞
図２は、本実施形態に係る印鑑照合システム１の印鑑照合サーバ１００およびオペレータ処理用端末３００の機能構成を示す機能ブロック図である。
【００２７】
［印鑑照合サーバ１００］
印鑑照合サーバ１００は、図２に示すように、データベース１１０と、登録印鑑イメージ情報取得処理部１２０と、基準帳票情報取得処理部１３０と、受信帳票イメージ情報取得処理部１４０と、照合用情報送信部１５０とを備える。
【００２８】
データベース１１０は、印鑑の照合処理に必要な情報を記憶する記憶部であって、例えば、登録印鑑イメージ情報や基準帳票情報、受信帳票イメージ情報等を記憶する。データベース１１０には、後述する登録印鑑イメージ情報取得処理部１２０により登録印鑑イメージ情報が記録され、後述する基準帳票情報取得処理部１３０により基準帳票情報が記録される。また、後述する受信帳票イメージ情報取得処理部１４０により受信帳票イメージ情報が記録される。また、データベース１１０に記憶された情報は、後述する照合用情報送信部１５０により取得され、オペレータ処理用端末３００へ送信される。
【００２９】
登録印鑑イメージ情報取得処理部１２０は、顧客の登録印鑑イメージを取得し、データベース１１０へ記録する。登録イメージ情報取得処理部１２０は、顧客より予め届けられた印鑑のイメージを取得し、データベース１１０（図３の登録印鑑イメージ情報記憶部１１２）に記録する。
【００３０】
基準帳票情報取得処理部１３０は、基準帳票情報を取得し、データベース１１０へ記録する。基準帳票情報とは、帳票の基準枠線情報と、捺印欄の位置情報（座標データ）とを含む情報である。当該情報より、印鑑が捺印された位置を特定することができる。基準帳票情報取得処理部１３０は、取得した基準帳票情報を、データベース（図３の基準帳票情報記憶部１１４）に記録する。
【００３１】
受信帳票イメージ情報取得処理部１４０は、公衆回線網４００を介してＦＡＸ５００から受信したＦＡＸサーバ２００から受信帳票イメージ情報を取得し、データベース１１０へ記録する。受信帳票イメージ情報取得処理部１４０は、受信した受信帳票イメージ情報をデータベース（図３の受信帳票イメージ情報記憶部１１６）に記録する。
【００３２】
照合用情報送信部１５０は、オペレータ処理用端末３００からの要求に応じて、要求された顧客の登録印鑑イメージ情報、受信帳票イメージ情報、および基準帳票情報をデータベース１１０から取得し、オペレータ処理用端末３００へ送信する。
【００３３】
［オペレータ処理用端末３００］
印鑑照合処理を行う印鑑照合装置であるオペレータ処理用端末３００は、照合用情報受信部３１０と、印鑑イメージ切り出し部３２０と、変形量比較処理部３３０と、印鑑イメージ変形・補正処理部３４０と、印鑑照合処理部３５０と、重ね合わせ画面表示処理部３６０と、表示部３７０とからなる。
【００３４】
印鑑イメージ切り出し部３２０は、受信帳票イメージ情報および基準帳票情報に基づいて、受信帳票イメージ情報を取得する。印鑑イメージ切り出し部３２０は、基準帳票情報より受信帳票イメージ情報より、印鑑が捺印された位置を特定し、印鑑の捺印された部分を受信印鑑イメージ情報として切り出す。印鑑イメージ切り出し部３２０は、受信印鑑イメージ情報を変形量比較処理部３３０へ出力する。
【００３５】
変形量比較処理部３３０は、印鑑イメージ切り出し部３２０により切り出された受信印鑑イメージと、基準帳票情報の捺印欄の位置情報とを比較して、受信印鑑イメージの変形量を算出する。変形量比較処理では、例えば、捺印欄の対角にある２点の相対座標についての、基準帳票情報に基づく値と印鑑イメージから取得された値との差異を変形量として算出する。具体的には、捺印欄の左上隅を基準点として捺印欄の右下隅までの相対座標を算出し、基準帳票情報の正常な捺印欄の位置情報に対する、受信印鑑イメージの相対座標の差異を変形量とする処理が行われる。算出された変形量は、印鑑イメージ変形・補正処理部３４０および印鑑照合処理部３５０へ出力される。
【００３６】
印鑑イメージ変形・補正処理部３４０は、変形量比較処理部３３０にて算出された受信印鑑イメージの変形量に基づいて、受信印鑑イメージや登録印鑑イメージを変形・補正する変形処理部である。印鑑イメージ変形・補正処理部３４０は、後述する印鑑照合処理部３５０による照合処理のため、登録印鑑イメージを変形量だけ変形させる。登録印鑑イメージの変形処理は、例えば、変形量、例えば捺印欄の対角にある２点（具体的には、捺印欄の左上隅から右下隅まで）の相対座標の差異に応じて、登録印鑑イメージを拡大または縮小して変形させる。また、印鑑イメージ変形・補正処理部３４０は、後述する表示部３７０に照合結果を表示する際に、受信印鑑イメージを正常な印鑑イメージに近づくように変形量に基づき拡大または縮小して変形する。このように、印鑑イメージ変形・補正処理部３４０により変形・補正された印鑑イメージは、印鑑照合処理部３５０または重ね合わせ画面表示処理部３６０へ出力される。
【００３７】
印鑑照合処理部３５０は、印鑑イメージ変形・補正処理部３４０により変形された登録印鑑イメージと受信印鑑イメージとを照合し、照合率を算出する。そして、印鑑照合処理部３５０は、照合率を照合結果として表示部３７０へ出力して表示させる。
【００３８】
重ね合わせ画面表示処理部３６０は、印鑑イメージ変形・補正処理部３４０により変形された受信印鑑イメージと登録印鑑イメージとを重ね合わせた画像を表示部３７０に表示させるための重ね合わせ画像を作成する表示処理部である。登録印鑑イメージを変形して表示することは業務上問題となるため、ここでは受信印鑑イメージを変形して表示部３７０に表示させる。重ね合わせ画面表示処理部３６０は、作成した重ね合わせ画像を含む照合結果画面の情報を表示部３７０へ出力する。
【００３９】
表示部３７０は、情報を表示する表示装置であって、例えば液晶ディスプレイや有機ＥＬディスプレイ等を用いることができる。表示部３７０には、印鑑照合処理部３５０により算出された照合率や重ね合わせ画像表示処理部３６０により作成された照合結果画面等が表示される。後述する図５に示すように、照合結果画面には、登録印鑑イメージや受信印鑑イメージを表示してもよい。
【００４０】
＜３．印鑑照合処理＞
このような機能を有する印鑑照合システム１は、図３および図４に示すような処理により、予め登録された印鑑イメージ（登録印鑑イメージ）と、ＦＡＸ等によりスキャンされ受信した帳票に捺印された印鑑イメージ（受信印鑑イメージ）とを照合する。図３は、本実施形態に係る印鑑照合システム１による処理の流れを示す説明図である。図４は、本実施形態に係るオペレータ処理用端末３００による印鑑照合処理の流れを示すフローチャートである。
【００４１】
［３−１．前準備処理］
オペレータ処理用端末３００による印鑑照合処理の前準備として、印鑑照合サーバ１００により印鑑照合処理に必要な情報の取得が行われる。具体的には、図３の処理（１）〜（３）が前準備として行われる。
【００４２】
まず、印鑑照合サーバ１００は、予め顧客の登録印鑑のイメージデータを登録印鑑イメージとして登録印鑑イメージ情報記憶部１１２に記憶させる（処理（１））。登録印鑑のイメージデータは、例えば顧客から登録印鑑の情報を受けたとき等に登録印鑑イメージ情報記憶部１１２に記録することができる。
【００４３】
また、印鑑照合サーバ１００は、変形されていない未記載の帳票イメージ６００から罫線情報と捺印欄６０２の位置情報とを基準帳票情報として数値化し、基準帳票情報記憶部１１４に記憶させる（処理（２））。基準帳票情報は、帳票の種類毎に予め取得して基準帳票情報記憶部１１４に記憶させてもよく、オペレータが必要に応じて基準帳票情報記憶部１１４に記憶させてもよい。
【００４４】
そして、印鑑照合サーバ１００は、ＦＡＸ５００等により送信された捺印された帳票をＦＡＸサーバ２００で受信し、当該受信帳票イメージ６１０を受信帳票イメージ情報として受信帳票イメージ情報記憶部１１６に記憶させる（処理（３））。本実施形態では、受信帳票イメージ情報記憶部１１６には、捺印欄６１２を含む受信帳票イメージ６１０全体を記憶している。
【００４５】
このように、印鑑照合処理を行う前準備として、印鑑照合サーバ１００のデータベース１１０に、登録印鑑イメージ、基準帳票情報および受信帳票イメージが記憶される。
【００４６】
［３−２．印鑑照合処理］
オペレータ処理用端末３００では、印鑑照合サーバ１００に登録された各情報を用いて、受信帳票イメージ６１０内の被照合印鑑イメージと登録印鑑イメージとの照合が行われる。以下では、図３および図４に基づき印鑑照合処理の説明を行う。
【００４７】
まず、オペレータ処理用端末３００の照合用情報受信部３１０は、照合対象である受信帳票イメージ６１０を印鑑照合サーバ１００の受信帳票イメージ情報記憶部１１６から取得する（Ｓ１００）。そして、印鑑イメージ切り出し部３２０は、照合用情報受信部３１０により取得された受信帳票イメージ６１０から印鑑イメージ（受信印鑑イメージＩＭＧ２）を捺印欄６１２も含めて取得する（Ｓ１０２）。印鑑イメージ切り出し部３２０は、例えば捺印欄６１２をフォーマット認識して特定したり、あるいは、印鑑の押印位置から捺印欄６１２を特定したりする等の方法により、受信印鑑イメージＩＭＧ２を切り出すことができる。図４のステップＳ１００およびＳ１０２の処理は、図３の処理（４）に対応する。
【００４８】
次いで、照合用情報受信部３１０は、照合対象の印鑑が捺印された帳票の基準帳票情報を印鑑照合サーバ１００の基準帳票情報記憶部１１４から取得する（Ｓ１０４）。基準帳票情報には、上述したように、帳票の罫線情報や捺印欄の位置情報（座標データ）が含まれている。取得した基準帳票情報は、印鑑イメージ切り出し部３２０へ出力される。図４のステップＳ１０４の処理は、図３の処理（５）に対応する。
【００４９】
印鑑イメージ切り出し部３２０が取得した受信印鑑イメージＩＭＧ２および基準帳票情報は、変形量比較処理部３３０へ出力される。変形量比較処理部３３０は、受信印鑑イメージＩＭＧ２と基準帳票情報に含まれる捺印欄の位置情報とに基づいて、受信印鑑イメージの変形量を取得する（Ｓ１０６）。変形量比較処理部３３０は、例えば、捺印欄の対角にある２点のうち１点（具体的には例えば左上隅）を基準点として、捺印欄の対角にある２点のうちの他の１点（具体的には例えば右下隅）までの相対座標を求め、基準帳票情報に含まれる正常な捺印欄の位置情報に対する受信印鑑イメージＩＭＧ２の相対座標の差異を変形量として求める。図４のステップＳ１０６の処理は、図３の処理（６）に対応する。
【００５０】
一方、照合用情報受信部３１０は、さらに照合対象の登録印鑑イメージＩＭＧ１を登録印鑑イメージ記憶部１１２から取得する（Ｓ１０８）。取得した登録印鑑イメージＩＭＧ１は、印鑑イメージ変形・補正処理部３４０および重ね合わせ画面表示処理部３６０へ出力される。図４のステップＳ１０８の処理は、図３の処理（７）に対応する。
【００５１】
次いで、印鑑イメージ変形・補正処理部３４０は、変形量比較処理部３３０にて算出された変形量より、受信印鑑イメージＩＭＧ２が正常な状態から変形しているか否かを判定する（Ｓ１１０）。当該判定は、例えば算出した変形量を所定の基準変形量と比較することにより行うことができる。印鑑イメージ変形・補正処理部３４０は、算出した変形量が基準変形量より大きい場合には、受信印鑑イメージＩＭＧ２は変形していると判定し、ステップＳ１０８にて取得した登録印鑑イメージＩＭＧ１を、変形量比較処理部３３０にて算出された受信印鑑イメージＩＭＧ２の変形量に基づき変形させる。（Ｓ１１２）。
【００５２】
ステップＳ１１２では、変形のない登録印鑑イメージＩＭＧ１を受信印鑑イメージＩＭＧ２に近づけるように拡大または縮小させ、登録印鑑イメージＩＭＧ１を受信印鑑イメージＩＭＧ２と同じ変形をした状態にする。これにより、被照合印鑑イメージである受信印鑑イメージＩＭＧ２と照合可能な変形登録印鑑イメージＩＭＧ１ａが生成される。登録印鑑イメージＩＭＧ１は、ＦＡＸ５００等で受信した受信印鑑イメージＩＭＧ２と比較して解像度が高い。解像度の高い登録印鑑イメージＩＭＧ１を変形させることで、イメージが粗くなる度合いを抑制することができ、印鑑照合結果の照合率を向上させることができる。なお、図４のステップＳ１１２の処理は、図３の処理（８）に対応する。
【００５３】
一方、ステップＳ１１０にて変形量が基準変形量以下である場合には、印鑑イメージ変形・補正処理部３４０は、受信印鑑イメージＩＭＧ２は変形していないと判定し、ステップＳ１１２の処理を行わず、ステップＳ１１４の処理へ進む。
【００５４】
その後、印鑑照合処理部３５０は、印鑑イメージを照合し、２つの印鑑イメージの照合率を算出する（Ｓ１１４）。印鑑照合処理部３５０は、ステップＳ１１２にて登録印鑑イメージＩＭＧ１が変形された場合には、図３に示すように、変形登録印鑑イメージＩＭＧ１ａと受信印鑑イメージＩＭＧ２とを照合する。一方、受信印鑑イメージＩＭＧ２が変形しておらず、登録印鑑イメージＩＭＧ１を変形した登録印鑑イメージＩＭＧ１ａが生成されていない場合には、印鑑照合処理部３５０は、登録印鑑イメージＩＭＧ１と受信印鑑イメージＩＭＧ２とを照合する。
【００５５】
印鑑の照合処理は、既存の手法を用いて行うことができ、照合結果として例えば照合率が出力される。照合率は、数値が高いほど２つの印鑑イメージが類似することが示し、照合率が所定の値以上である場合にこれらの印鑑イメージは同一であるとみなすことができる。図４のステップＳ１１４の処理は、図３の処理（９）に対応する。
【００５６】
印鑑イメージの照合が行われると、照合結果をオペレータに通知するための処理が行われる。まず、印鑑イメージ変形・補正処理部３４０は、受信印鑑イメージＩＭＧ２の変形の有無を判定する（Ｓ１１６）。ステップＳ１１６の処理は、ステップＳ１１０と同様に行うことができる。そして、印鑑イメージ変形・補正処理部３４０は、受信印鑑イメージＩＭＧ２が変形されていると判定した場合には、受信印鑑イメージＩＭＧ２を変形量に基づいて変形する（Ｓ１１８）。
【００５７】
ステップＳ１１８は、オペレータに照合結果を通知するための処理であり、登録印鑑イメージＩＭＧ１を変形させて表示するのは業務上問題がある。このため、ステップＳ１１８では、受信印鑑イメージＩＭＧ２を登録印鑑イメージＩＭＧ１に近づけるように変形量だけ拡大または縮小させ、変形受信印鑑イメージＩＭＧ２ａを生成する。すなわち、ステップＳ１１８では、受信印鑑イメージＩＭＧ２が正常な印鑑イメージに対する変形量がなくなるように変形される。これにより、オペレータに対して照合結果をわかりやすく通知することが可能となる。図４のステップＳ１１８の処理は、図３の処理（１０）に対応する。
【００５８】
一方、ステップＳ１１６にて変形量が基準変形量以下である場合には、印鑑イメージ変形・補正処理部３４０は、受信印鑑イメージＩＭＧ２は変形していないと判定し、ステップＳ１１８の処理を行わず、ステップＳ１２０の処理へ進む。
【００５９】
その後、重ね合わせ画面表示処理部３６０により、２つの印鑑イメージを重ね合わせた画像が生成されるとともに、照合結果をオペレータに通知するために表示部３７０に表示する照合結果画面が生成される。重ね合わせ画像は、登録印鑑イメージＩＭＧ１と、変形受信印鑑イメージＩＭＧ２ａ（受信印鑑イメージＩＭＧ２が変形している場合）または受信印鑑イメージＩＭＧ２（受信印鑑イメージＩＭＧ２が変形していない場合）とを重ねた画像である。生成された照合結果画面は、表示部３７０に表示される（Ｓ１２０）。図４のステップＳ１２０の処理は、図３の処理（１１）に対応する。
【００６０】
照合結果画面３７１の一例を図５に示す。照合結果画面３７１には、図５に示すように、登録印鑑に対応する口座明細情報３７２や登録印鑑情報３７３、受信印鑑情報３７４、照合結果情報３７５、照合率３７６等が表示される。照合結果画面３７１の登録印鑑情報３７３には登録印鑑イメージＩＭＧ１が表示される。また、受信印鑑情報３７４には、受信印鑑イメージＩＭＧ２が変形している場合には変形受信印鑑イメージＩＭＧ２ａが表示され、受信印鑑イメージＩＭＧ２が変形していない場合には受信印鑑イメージＩＭＧ２が表示される。この際、変形受信印鑑イメージＩＭＧ２ａを表示させる場合には、オペレータが変形されたイメージが表示されていることを認識できるように、例えば「受信印鑑（形状変形表示）」等と画面上に表示させてもよい。そして、照合結果情報３７５には、重ね合わせ画面表示処理部３６０により生成された重ね合わせ画像が表示され、照合率３７６には、印鑑照合処理部３５０により算出された照合率が表示される。
【００６１】
以上、本実施形態に係る印鑑照合システム１の構成とこれによる印鑑照合処理について説明した。本実施形態に係る印鑑照合システム１では、印鑑照合の際に、ＦＡＸ５００により送信され受信した受信帳票イメージ６１０の受信印鑑イメージＩＭＧ２ではなく、解像度の高い登録印鑑イメージＩＭＧ１を、帳票送信時に生じた変形量に基づき変形させて、２つの印鑑イメージを照合する。これにより、照合する印鑑イメージが粗くなる度合いを抑制することができ、印鑑照合結果の照合率を向上させることができる。
【００６２】
＜４．ハードウェア構成例＞
本実施形態に係る印鑑照合システム１の印鑑照合サーバ１００、ＦＡＸサーバ２００、オペレータ処理用端末３００の各処理は、典型的には、ソフトウェアを用いて実行される。ソフトウェアを用いて各処理を実行する場合には、ソフトウェアを構成するプログラムが、専用のハードウェアに組み込まれたコンピュータ、または例えば図６に示したハードウェア構成を有する汎用コンピュータなどを用いて実行される。図６は、オペレータ処理用端末３００のハードウェア構成の一例を示しているが、印鑑照合サーバ１００およびＦＡＸサーバ２００も同様に構成することができる。
【００６３】
図６に示すように、オペレータ処理用端末３００において、ＣＰＵ９０２は、オペレータ処理用端末３００の動作全般を制御する。ＲＯＭ（Ｒｅａｄ  Ｏｎｌｙ  Ｍｅｍｏｒｙ）９０４には、一連の処理の一部又は全部を記述したプログラム及び制御データ等が格納される。ＲＡＭ（Ｒａｎｄｏｍ  Ａｃｃｅｓｓ  Ｍｅｍｏｒｙ）９０６には、ＣＰＵ９０２により用いられるプログラムやデータ等が処理の実行時に一時的に記憶される。
【００６４】
ＣＰＵ９０２、ＲＯＭ９０４、及びＲＡＭ９０６は、内部バス９０８を介して相互に接続される。内部バス９０８にはさらに、入出力インタフェース９１０が接続される。入出力インタフェース９１０は、ＣＰＵ９０２、ＲＯＭ９０４、およびＲＡＭ９０６と、表示部９１２、入力部９１４、音声出力部９１５、ＨＤＤ９１６、ドライブ９１７、ネットワークインタフェース９１８および外部インタフェース９１９とを接続する。
【００６５】
表示部９１２は、例えばＣＲＴ（Ｃａｔｈｏｄｅ  Ｒａｙ  Ｔｕｂｅ）、液晶ディスプレイ、ＯＬＥＤ（Ｏｒｇａｎｉｃ  Ｌｉｇｈｔ  Ｅｍｉｔｔｉｎｇ  Ｄｉｏｄｅ）などを用いて、ユーザに画面を表示する。入力部９１４は、例えばボタン、スイッチ、レバー、マウスやキーボードなどの入力手段を介して、ユーザからの指示やデータの入力を受け付ける。音声出力部９１５は、例えばスピーカ等であって、音声をユーザに伝達する。
【００６６】
ＨＤＤ９１６はプログラムやデータの記憶に用いられる。ドライブ９１７は、例えば光ディスク、又はフラッシュメモリを始めとする半導体メモリなどの記憶媒体の読取装置であって、ＨＤＤ９１６と同様にプログラムやデータが記録された記憶媒体の情報を読み取ったり、記憶媒体へ情報を書き込んだりする。ネットワークインタフェース９１８および外部インタフェース９１９は、ネットワークを介する通信処理を仲介する。
【００６７】
各処理をソフトウェアで実行する場合には、例えばＲＯＭ９０４、ＨＤＤ９１６あるいはドライブ９１７により読取可能な記憶媒体に格納されたプログラムが、実行時にＲＡＭ９０６に読み込まれ、ＣＰＵ９０２によって実行される。
【００６８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６９】
例えば、上記実施形態では、受信印鑑イメージは、ＦＡＸ５００によりスキャンされて送信された帳票に含まれる画像であったが、本発明はかかる例に限定されない。例えば、受信印鑑イメージは、スキャナ等でスキャンされた後にメール等で送信された帳票イメージに含まれるものであってもよい。
【００７０】
また、上記実施形態では、図４のステップＳ１１０およびＳ１１６にて受信印鑑イメージの変形の有無を確認し、受信印鑑イメージが変形されている場合にのみ登録印鑑イメージや受信印鑑イメージを変形させたが、本発明はかかる例に限定されない。ステップＳ１１０およびＳ１１６の処理は必ずしも実行しなくともよく、この場合、変形量比較処理部３３０にて算出された変形量に基づき、印鑑イメージ変形・補正処理部３４０により変形される。
【００７１】
さらに、上記実施形態では、オペレータ処理用端末３００にて印鑑照合処理を行ったが、本発明はかかる例に限定されない。例えば、オペレータ処理用端末３００では照合対象を特定する情報を送信して印鑑照合サーバ１００に印鑑照合処理を実行させてもよい。このとき、印鑑照合サーバ１００は、印鑑イメージ切り出し部３２０、変形量比較処理部３３０、印鑑イメージ変形・補正処理部３４０、印鑑照合処理部３５０、重ね合わせ画面表示処理部３６０の機能を備えるものとする。そして、印鑑照合サーバ１００は、印鑑照合処理による照合結果をオペレータ処理用端末３００へ送信し、オペレータ処理用端末３００の表示部３７０に当該照合結果を表示させてもよい。
【符号の説明】
【００７２】
１        印鑑照合システム
１００    印鑑照合サーバ
１１０    データベース
１１２    登録印鑑イメージ情報記憶部
１１４    基準帳票情報記憶部
１１６    受信帳票イメージ情報記憶部
１２０    登録印鑑イメージ情報取得処理部
１３０    基準帳票情報取得処理部
１４０    受信帳票イメージ情報取得処理部
１５０    照合用情報送信部
２００    ＦＡＸサーバ
３００    オペレータ処理用端末
３１０    照合用情報受信部
３２０    印鑑イメージ切り出し部
３３０    変形量比較処理部
３４０    印鑑イメージ変形・補正処理部
３５０    印鑑照合処理部
３６０    重ね合わせ画面表示処理部
３７０    表示部
４００    公衆回線網
５００    ＦＡＸ
【図１】
2012247994.tif 000003
【図２】
2012247994.tif 000004
【図３】
2012247994.tif 000005
【図４】
2012247994.tif 000006
【図５】
2012247994.tif 000007
【図６】
2012247994.tif 000008